(57)【要約】【課題】車両の乗員の複数の身体部位毎に、受ける輻射の量、または、近傍の空気の温度を検出する。【解決手段】輻射情報算出装置は、車両の車室に露出する複数の部材の温度が反映された部材温度情報を取得する取得部と、前記取得部が取得した前記部材温度情報に基づいて、前記車室内の乗員の複数の身体部位にそれぞれ対応して対応先の身体部位が受ける輻射の量を表す複数の輻射情報を算出する算出部と、前記算出部が算出した前記複数の輻射情報を出力する出力部と、を備える。【選択図】図１１
2020117052.tif 000002
【特許請求の範囲】
【請求項１】
車両（２）の車室に露出する複数の部材の温度が反映された部材温度情報を取得する取得部（１１０）と、
前記取得部が取得した前記部材温度情報に基づいて、前記車室内の乗員（６）の複数の身体部位にそれぞれ対応して、対応先の身体部位が受ける輻射の量を表す複数の輻射情報を、算出する算出部（１２０）と、
前記算出部が算出した前記複数の輻射情報を出力する出力部（１４０）と、を備えた輻射情報算出装置。
【請求項２】
前記取得部は、赤外線カメラ（２１）によって生成された車室内のサーモグラフィを、前記部材温度情報の一部を含む画像として取得し、
前記サーモグラフィは、前記複数の部材のうち１つ以上の部材の各々の温度分布を表す画素群を含む、請求項１に記載の輻射情報算出装置。
【請求項３】
前記取得部は、赤外線カメラ（２１）によって生成された車室内のサーモグラフィを取得し、
前記サーモグラフィは日射の向きの情報を含んでいる、請求項１に記載の輻射情報算出装置。
【請求項４】
前記取得部は、赤外線カメラ（２１）によって生成された車室内のサーモグラフィを、前記部材温度情報の一部を含む画像として取得し、
前記サーモグラフィは、前記車両の車室の天井の温度を表す画素群と、前記車両のリアガラスの温度を表す画素群と、前記車両のサイドガラスの温度を表す画素群と、を含む請求項１に記載の輻射情報算出装置。
【請求項５】
前記算出部は、教師あり学習によって学習されたニューラルネットワークの学習済みモデル（６１）によって、前記部材温度情報を含む説明変数から、前記複数の輻射情報を含む目的変数を算出する、請求項２ないし４のいずれか１つに記載の輻射情報算出装置。
【請求項６】
車両（２）の車室に露出する複数の部材の温度が反映された部材温度情報を取得する取得部（１１０）と、
前記取得部が取得した前記部材温度情報に基づいて、前記車室内の乗員（６）の複数の身体部位にそれぞれ対応して、対応先の身体部位の近傍における空気の温度を表す複数の空気温度情報を、算出する算出部（１３０）と、
前記算出部が算出した前記複数の空気温度情報を出力する出力部（１４０）と、を備えた温度情報算出装置。
【請求項７】
前記取得部は、前記車両に搭載された空調装置から車室内に吹き出される風の温度、風量、吹出口の位置、風向のうち１つ以上を含む吹出風情報を取得し、
前記算出部は、前記取得部が取得した前記部材温度情報と前記吹出風情報とに基づいて、前記複数の空気温度情報を算出する、請求項６に記載の温度情報算出装置。
【発明の詳細な説明】
【技術分野】
【０００１】
本発明は、輻射情報算出装置および温度情報算出装置に関するものである。
【背景技術】
【０００２】
特許文献１には、車両の乗員が受ける輻射の量を算出するための技術が開示されている。具体的には、シートベルトの表面に反射部が形成され、当該反射部から到達する赤外線を検知部が検知し、検知された赤外線に基づいて算出部が車室内の輻射温度を算出する。
【先行技術文献】
【特許文献】
【０００３】
【特許文献１】特開２０１７−３０３７７号公報
【発明の概要】
【発明が解決しようとする課題】
【０００４】
発明者の検討によれば、特許文献１の技術では、反射部のある部分を代表点として輻射温度を算出しているに過ぎないので、乗員の温熱感をきめ細かく把握できない。車室内の温熱環境が著しく不均一であるからである。具体的には、乗員の複数の身体部位は、受ける輻射の量も近傍の空気の温度も、互いに大きく異なる。これは、例えば、天井、フロントガラス、サイドガラス等、車室内の異なる位置に異なる温度の複数の部材が存在し、複数の身体部位がそれら複数の部材のどれから主に影響を受けやすいかも、身体部位毎に大きく異なるからである。
【０００５】
本発明は上記点に鑑み、車両の乗員の複数の身体部位毎に、受ける輻射の量、または、近傍の空気の温度を検出することを目的とする。
【課題を解決するための手段】
【０００６】
上記目的を達成するための請求項１に記載の発明は、車両（２）の車室に露出する複数の部材の温度が反映された部材温度情報を取得する取得部（１１０）と、前記取得部が取得した前記部材温度情報に基づいて、前記車室内の乗員（６）の複数の身体部位にそれぞれ対応して、対応先の身体部位が受ける輻射の量を表す複数の輻射情報を、算出する算出部（１２０）と、前記算出部が算出した前記複数の輻射情報を出力する出力部（１４０）と、を備えた輻射情報算出装置である。
【０００７】
このようにして、車室内の乗員の複数の身体部位にそれぞれ対応する複数の輻射情報が算出される。上述の通り、乗員の複数の身体部位は、受ける輻射の量が互いに大きく異なる場合がある。発明者の検討によれば、その理由は２つある。１つは、車室の異なる位置に露出して異なる温度となる複数の部材が存在することである。もう１つは、複数の身体部位は、それら複数の部材のどれから主に輻射を受けるかが、まちまちだということである。
【０００８】
したがって、車両の車室に露出する複数の部材の温度が反映された部材温度情報に基づいてこれら複数の輻射情報が算出されることで、このような車室特有の事情に合わせて、適切な情報に基づいた複数の輻射情報の算出が実現される。
【０００９】
また、上記目的を達成するための請求項６に記載の発明は、車両（２）の車室に露出する複数の部材の温度が反映された部材温度情報を取得する取得部（１１０）と、前記取得部が取得した前記部材温度情報に基づいて、前記車室内の乗員（６）の複数の身体部位にそれぞれ対応して、対応先の身体部位の近傍における空気の温度を表す複数の空気温度情報を、算出する算出部（１３０）と、前記算出部が算出した前記複数の空気温度情報を出力する出力部（１４０）と、を備えた温度情報算出装置である。
【００１０】
このようにして、車室内の乗員の複数の身体部位にそれぞれ対応する空気温度情報が算出される。上述の通り、乗員の複数の身体部位は、近傍の空気の温度が互いに大きく異なる場合がある。発明者の検討によれば、その理由は２つある。１つは、車室の異なる位置に露出して異なる温度となる複数の部材が存在することである。もう１つは、複数の身体部位は、それら複数の部材のどれから主に熱的影響を受けるかが、まちまちだということである。
【００１１】
したがって、車両の車室に露出する複数の部材の温度が反映された部材温度情報に基づいてこれら複数の空気温度情報が算出されることで、車室特有の事情に合わせて、適切な情報に基づいた複数の空気温度情報の算出が実現される。
【００１２】
なお、各構成要素等に付された括弧付きの参照符号は、その構成要素等と後述する実施形態に記載の具体的な構成要素等との対応関係の一例を示すものである。
【図面の簡単な説明】
【００１３】
【図１】空調装置が搭載される車両の概略図である。
【図２】空調ケースおよびその周辺の機器の構成図である。
【図３】空調装置の電気的構成を示すブロック図である。
【図４】赤外線カメラの撮影範囲内に含まれる部材を示す図である。
【図５】受ける輻射量を算出する対象の身体部位および近傍の温度を算出する対象の身体部位を示す図である。
【図６】輻射・温度算出処理のフローチャートである。
【図７】一事例における太陽の位置およびサーモグラフィの各画素の値を示す図である。
【図８】サーモグラフィの画素値を濃度で表した図である。
【図９】一事例における太陽の位置およびサーモグラフィの各画素の値を示す図である。
【図１０】サーモグラフィの画素値を濃度で表した図である。
【図１１】輻射情報を算出する処理の概要を示す図である。
【図１２】空気温度情報を算出する処理の概要を示す図である。
【図１３】教師データの取得範囲と、
【図１４】所定の条件下において輻射情報用の学習済みモデルによって算出された輻射情報のグラフである。
【図１５】所定の条件下において空気温度情報の学習済みモデルによって算出された空気温度情報のグラフである。
【発明を実施するための形態】
【００１４】
以下、一実施形態について説明する。図１、図２、図３に示すように、本実施形態にかかる車両用の空調装置１０は、車両２に搭載される。車両の車室内には、運転者である乗員６が着座する前席３、および運転者以外の乗員が着座する後席４が設けられている。空調装置１０は、車両２の車室内の空気の温度を調整する装置である。
【００１５】
空調装置１０は、エアコンＥＣＵ４０、空調ケース１１、内外気切替ドア１２、遠心ファン１３１、エバポレータ１４、ヒータコア１５、エアミックスドア１６、フェイスドア１７、フットドア１８、フェイスダクト５１、フットダクト５２、デフロスタダクト５３、風向調整板１１０、赤外線カメラ２１、外気温センサ２２、内気温センサ２３、日射センサ２４、フェイス温度センサ２５、フット温度センサ２６、デフロスタ温度センサ２７、フロントガラス温度センサ２８、ファンアクチュエータ１３１ａ、エアミックスアクチュエータ１６ａ、吹出モードアクチュエータ１７ａ、内外気モードアクチュエータ１２ａ、風向アクチュエータ１１０ａ等を備えている。
【００１６】
空調ケース１１は、インストルメントパネル８内に設けられ、温度調整されて車室内に吹き出される空気が通る通風路１１１を囲む。
【００１７】
内外気切替ドア１２は、内気導入口１１２の開口面積と、外気導入口１１３の開口面積を調整する部材である。内外気切替ドア１２は、内気導入口１１２と外気導入口１１３のうち、一方の開口部を開くほど他方の開口部を閉じるように回転動作する。これにより、内外気切替ドア１２は、通風路１１１に導入される内気の風量と外気の風量の割合（すなわち、内外気比率）を調整することが可能である。ここで、内気は、車室内空気であり、外気は、車室外空気である。内外気モードアクチュエータ１２ａは、内外気切替ドア１２を駆動するアクチュエータであり、図３に示すように、エアコンＥＣＵ４０によって制御される。
【００１８】
遠心ファン１３１は、回転することで、内気導入口１１２が開口していればそこから内気を、外気導入口１１３が開口していればそこから外気を、通風路１１１内に導入し、導入した空気を、通風路１１１内における遠心ファン１３１の空気流れ下流側に送る。ファンアクチュエータ１３１ａは、遠心ファン１３１を駆動するアクチュエータであり、図３に示すように、エアコンＥＣＵ４０によって制御される。
【００１９】
エバポレータ１４は、通風路１１１内で、遠心ファン１３１の空気流れ下流に、配置される。エバポレータ１４は、遠心ファン１３１から送られた空気を冷却する。エバポレータ１４は、図示していない圧縮機、凝縮器および膨張弁などと共に周知の冷凍サイクルを構成している。この冷凍サイクルも、空調装置１０の構成要素である。当該冷凍サイクルを流れる冷媒がエバポレータ１４内を通る際、冷媒と空気が熱交換する。この熱交換により、冷媒が蒸発し、空気が冷やされる。
【００２０】
ヒータコア１５は、通風路１１１内で、エバポレータ１４の空気流れ下流に、配置されている。ヒータコア１５は、エバポレータ１４を通過した空気を加熱する。ヒータコア１５には、エンジン冷却水が流れ、このエンジン冷却水と空気とが熱交換することで空気が加熱される。
【００２１】
エアミックスドア１６は、エバポレータ１４とヒータコア１５との間に設けられている。エアミックスドア１６は、エバポレータ１４を通過した後にヒータコア１５を迂回して流れる風量と、エバポレータ１４を通過した後にヒータコア１５を通過する風量との割合すなわちエアミックス比率を調整するドアである。エアミックスアクチュエータ１６ａは、エアミックスドア１６を駆動するアクチュエータであり、図３に示すように、エアコンＥＣＵ４０によって制御される。
【００２２】
図３に示すように、空調ケース１１には、通風路１１１の空気流れ方向下流側に、通風路１１１から車室内に空気を送風するためのフェイス開口部１１４、フット開口部１１５、デフロスタ開口部１１６が形成されている。通風路１１１のうち、ヒータコア１５を迂回した空気とヒータコア１５を通った空気とが混合されるエアミックス空間から、これらフェイス開口部１１４、フット開口部１１５、デフロスタ開口部１１６に空気が流れる。
【００２３】
フェイス開口部１１４、フット開口部１１５およびデフロスタ開口部１１６には、それぞれの開口部を開閉するためのモード切替ドアが設けられている。モード切替ドアは、フェイスドア１７、フットドア１８およびデフロスタドア１９により構成されている。フェイスドア１７は、フェイス開口部１１４を開閉する。フットドア１８は、フット開口部１１５を開閉する。デフロスタドア１９は、デフロスタ開口部１１６を開閉する。
【００２４】
吹出モードアクチュエータ１７ａは、これらフェイスドア１７、フットドア１８、デフロスタドア１９を駆動するアクチュエータであり、図３に示すように、エアコンＥＣＵ４０によって制御される。エアミックスアクチュエータ１６ａによって、吹出口モードが制御される。吹出口モードには、例えば、フェイスモード、フットモード、デフロスタモード、バイレベルモードがある。フェイスモードは、フェイスドア１７が開いてフットドア１８、デフロスタドア１９が閉じる吹出口モードである。フットモードは、フットドア１８が開いてフェイスドア１７、デフロスタドア１９が閉じる吹出口モードである。デフロスタモードは、デフロスタドア１９が開いてフェイスドア１７、フットドア１８が閉じる吹出口モードである。バイレベルモードは、フェイスドア１７、フットドア１８が開いて、デフロスタドア１９が閉じる吹出口モードである。
【００２５】
フェイスダクト５１は、一端がフェイス開口部１１４に接続され、他端であるフェイス吹出口１００がインストルメントパネル８において前席３のシートバックに対向する位置に開口している。通風路１１１からフェイス開口部１１４を通った空気は、このフェイスダクト５１に流れ込み、フェイスダクト５１内を通った後、フェイス吹出口１００から車室内に吹き出される。フェイス吹出口１００から吹き出された空気は、前席３に着座する乗員６の上半身またはその周囲に向けて流れる。
【００２６】
フットダクト５２は、一端がフット開口部１１５に接続され、他端であるフット吹出口１０１がインストルメントパネル８において前席３のシートクッションの前方の足元空間に対向して開口している。通風路１１１からフット開口部１１５を通った空気は、このフットダクト５２に流れ込み、フットダクト５２内を通った後、フット吹出口１０１から車室内に吹き出される。フット吹出口１０１から吹き出された空気は、前席３に着座する乗員６の足元またはその周囲に向けて流れる。
【００２７】
デフロスタダクト５３は、一端がデフロスタ開口部１１６に接続され、他端であるデフロスタ吹出口１０２がインストルメントパネル８においてフロントガラスに対向して開口している。通風路１１１からデフロスタ開口部１１６を通った空気は、このデフロスタダクト５３に流れ込み、デフロスタダクト５３内を通った後、デフロスタ吹出口１０２から車室内に吹き出される。デフロスタ吹出口１０２から吹き出された空気は、フロントガラスまたはその周囲に向けて流れる。
【００２８】
このように、フェイス吹出口１００、フット吹出口１０１、デフロスタ吹出口１０２は、車室内の異なる位置に開口している。そして、前席３に着座する乗員６の身体部位のうち、上半身に属する身体部位は、フェイス吹出口１００から吹き出される空気の影響を最も強く受ける。また、前席３に着座する乗員６の身体部位のうち、下半身に属する身体部位は、フット吹出口１０１から吹き出される空気の影響を最も強く受ける。
【００２９】
また、図２に示すように、フェイス吹出口１００には、風向調整板１１０が取り付けられている。風向調整板１１０は、フェイス吹出口１００から車室内に吹き出される空気の向きを調整する。具体的には、風向調整板１１０の姿勢が変化することで、フェイス吹出口１００から吹き出される空気の流れの向きを、車幅方向および車両上下方向に変える。風向アクチュエータ１１０ａは、風向調整板１１０を駆動するアクチュエータであり、図３に示すように、エアコンＥＣＵ４０によって制御される。
【００３０】
赤外線カメラ２１は、あらかじめ決められた撮影範囲内から放射される赤外線を取得し、取得した赤外線に基づいて、当該撮影範囲内の位置毎の表面温度を画素値として表す画像を生成して出力するセンサである。当該画像はサーモグラフィの撮影範囲内には、図４に示すように、前席３、後席４、助手席、運転席側ドアトリム３１、助手席側ドアトリム３２、運転席側サイドガラス３３、助手席側サイドガラス３４、リアガラス３５、車室内の天井３６が含まれる。
【００３１】
このような撮影範囲を実現する車室内の赤外線カメラ２１の位置としては、例えば図１に示すように、車両の左右方向中央部分における、フロントガラスの上端部近傍がある。
この部分から後方を俯瞰撮影すると、図４に示したような部材がサーモグラフィに含まれる。この部分にルームミラーが設置されている場合は、赤外線カメラ２１はルームミラーに取り付けられてもよい。
【００３２】
このような前席３、後席４、助手席、運転席側ドアトリム３１、助手席側ドアトリム３２、運転席側サイドガラス３３、助手席側サイドガラス３４、リアガラス３５、天井３６は、車室に露出する部材である。これら部材は、温度に応じた熱輻射を行うので、乗員への輻射の量および乗員の近傍の空気の温度に大きく影響する。しかも、これら部材の温度は、車両の置かれた環境は走行状況に応じて、非一様に大きく変化する。したがって、車室の異なる位置に露出して異なる温度となる複数の部材が存在することになる。そして、複数の身体部位は、それら複数の部材のどれから主に輻射等の熱的影響を受けるかが、まちまちである。したがって、後述する通り、これら複数の部材の温度が反映された部材温度情報等に基づいて、複数の身体部位の輻射情報および空気温度情報が算出される。複数の身体部位の輻射情報は、当該複数の身体部位にそれぞれ対応して、対応先の身体部位が受ける輻射の量を表す。複数の身体部位の空気温度情報は、当該複数の身体部位にそれぞれ対応して、対応先の身体部位の近傍の空気の温度を表す。
【００３３】
外気温センサ２２は、車室外の空気（すなわち外気）の温度に応じた検出信号を出力するセンサである。内気温センサ２３は、車室内の空気（すなわち内気）の温度に応じた検出信号を出力するセンサである。日射センサ２４は、車室内への日射量に応じた検出信号を出力するセンサである。
【００３４】
フェイス温度センサ２５は、フェイスダクト５１を通ってフェイス吹出口１００から吹き出される空気の温度を、フェイス吹出口１００において検出するセンサである。フット温度センサ２６は、フットダクト５２を通ってフット吹出口１０１から吹き出される空気の温度を、フット吹出口１０１において検出するセンサである。デフロスタ温度センサ２７は、デフロスタダクト５３を通ってデフロスタ吹出口１０２から吹き出される空気の温度を、デフロスタ吹出口１０２において検出するセンサである。フロントガラス温度センサ２８は、車両２のフロントガラスの温度を検出するセンサである。
【００３５】
エアコンＥＣＵ４０は、ＣＰＵ、ＲＡＭ、ＲＯＭ、フラッシュメモリ等を有するＣＰＵが、ＲＯＭまたはフラッシュメモリに記憶されたプログラムを実行することで、後述する各種処理を実現し、それら処理において、ＲＡＭをワークメモリとして使用する。エアコンＥＣＵ４０は、輻射情報算出装置に対応すると共に、温度情報算出装置にも対応する。フラッシュメモリは、書き込み可能な不揮発性記憶媒体である。ＲＡＭ、ＲＯＭ、フラッシュメモリは、いずれも、非遷移的実体的記憶媒体である。
【００３６】
以下、上記のように構成された空調装置１０の作動について説明する。エアコンＥＣＵ４０は、図３に示すように、輻射・温度算出処理４０Ａと、空調制御処理４０Ｂとを、同時並行的に実行するようになっている。
【００３７】
エアコンＥＣＵ４０は、輻射・温度算出処理４０Ａを実行することで、乗員６の複数の身体部位の輻射情報および乗員６の複数の身体部位の空気温度情報を算出する。
【００３８】
輻射情報を算出する対象の身体部位は、図５の三角印で示すように、乗員６の右側頭部、左側頭部、顔、右肩、左肩、右肘、左肘、腹部、右膝、左膝、右脛、左脛の１２部位である。空気温度情報を算出する対象の身体部位は、図５の丸印で示すように、乗員６の顔、頸、右肩、左肩、胸部、右肘、左肘、右手、左手、腹部、右膝、左膝、右脛、左脛、右足、左足の１６部位である。輻射・温度算出処理４０Ａの詳細については後述する。
【００３９】
エアコンＥＣＵ４０は、空調制御処理４０Ｂを実行することで、空調ケース１１から車室内に吹き出される空気の温度を調整する。具体的には、エアコンＥＣＵ４０は、空調制御処理４０Ｂにおいて、車両にいる人が不図示の温度設定スイッチを操作して設定した設定温度Ｔｓｅｔと、外気温センサ２２、内気温センサ２３、日射センサ２４の検出信号に基づいた外気温Ｔａｍ、内気温Ｔｒ、および日射量Ｔｓとに基づいて、以下の式に従って目標吹出温度ＴＡＯを、繰り返し（例えば定期的に１秒周期で）算出する。
ＴＡＯ＝Ｋｓｅｔ×Ｔｓｅｔ−Ｋｒ×Ｔｒ−Ｋａｍ×Ｔａｍ−Ｋｓ×Ｔｓ＋Ｃ
但し、Ｋｓｅｔ、Ｋｒ、Ｋａｍ、Ｋｓは、制御ゲインであり、Ｃは補正用の定数である。
【００４０】
そして、エアコンＥＣＵ４０は、目標吹出温度ＴＡＯが算出される度に、算出された目標吹出温度ＴＡＯに応じて、周知の方法で、遠心ファン１３１の送風量、エアミックス比率、吹出口モード、内外気比率を決定する。
【００４１】
また、エアコンＥＣＵ４０は、目標吹出温度ＴＡＯが算出される度に、フェイス吹出口１００における風向を決定する。具体的には、輻射・温度算出処理４０Ａで算出された複数の身体部位の輻射情報および複数の身体部位の空気温度情報に基づいて、風向を決定してもよい。例えば、エアコンＥＣＵ４０は、複数の身体部位のうち、受ける輻射量が最も多い部位を特定し、特定した部位に向いた方向としてあらかじめ定められた方向を、風向として決定してもよい。あるいは、エアコンＥＣＵ４０は、図示しない操作パネルに対する乗員の操作内容に従って、風向を決定してもよい。
【００４２】
そして、エアコンＥＣＵ４０は、決定した送風量、エアミックス比率、吹出口モード、内外気比率、風向を実現させる。具体的には、ファンアクチュエータ１３１ａ、エアミックスアクチュエータ１６ａ、吹出モードアクチュエータ１７ａ、内外気モードアクチュエータ１２ａ、風向アクチュエータ１１０ａを作動させることで、それらを実現する。
【００４３】
ここで、輻射・温度算出処理４０Ａの詳細について説明する。エアコンＥＣＵ４０は、輻射・温度算出処理４０Ａを実現するため、図６に示すフローチャートを繰り返し実行する。
【００４４】
図６の処理において、エアコンＥＣＵ４０は、まずステップ１１０で、吹出風情報、車内環境情報、および、車外環境情報を取得する。
【００４５】
吹出風情報は、フェイス吹出口１００、フット吹出口１０１、デフロスタ吹出口１０２から車室内に吹き出される空気に関する情報である。具体的には、吹出風情報は、吹出風温度、吹出風量、吹出口モード、風向等を含む。
【００４６】
吹出風温度は、フェイス温度センサ２５、フット温度センサ２６、デフロスタ温度センサ２７によって検出された最新の温度である。空調ケース１１から車室内に送風が行われる場合、フェイス吹出口１００、フット吹出口１０１、デフロスタ吹出口１０２のうちの少なくとも１つを通って空気が車室内に吹き出される。したがって、フェイス温度センサ２５、フット温度センサ２６、デフロスタ温度センサ２７のうち少なくとも１つは、空調ケース１１から車室内に吹き出される空気の温度を検出する。
【００４７】
吹出風量は、空調制御処理４０Ｂで決定された遠心ファン１３１の送風量の最新値である。吹出口モードは、空調制御処理４０Ｂで決定された吹出口モードの最新値である。風向は、空調制御処理４０Ｂで決定された風向の最新値である。
【００４８】
車内環境情報は、車室内の温度環境を示す情報である。具体的には、車内環境情報は、内気温度、フロントガラス温度、天井温度、等を含む。内気温度は、内気温センサ２３によって検出された最新の温度である。フロントガラス温度は、フロントガラス温度センサ２８によって検出された最新の温度である。
【００４９】
サイドガラス温度は、運転席側サイドガラス３３の温度および助手席側サイドガラス３４の温度である。リアガラス温度は、リアガラス３５の温度である。ドアトリム温度は、運転席側ドアトリム３１の温度および助手席側ドアトリム３２の温度である。天井温度は、車室内の天井３６の温度である。
【００５０】
サイドガラス温度、リアガラス温度、ドアトリム温度、および天井温度は、赤外線カメラ２１によって取得されたサーモグラフィに含まれている。それは、図４に示したように、赤外線カメラ２１の撮影範囲に運転席側ドアトリム３１、助手席側ドアトリム３２、運転席側サイドガラス３３、助手席側サイドガラス３４、リアガラス３５、天井３６が含まれるからである。しかも、サーモグラフィ中、運転席側ドアトリム３１、助手席側ドアトリム３２、運転席側サイドガラス３３、助手席側サイドガラス３４、リアガラス３５、天井３６の各々は、複数の画素（すなわち画素群）を占める。したがって、サーモグラフィは、運転席側ドアトリム３１、助手席側ドアトリム３２、運転席側サイドガラス３３、助手席側サイドガラス３４、リアガラス３５、天井３６のそれぞれの温度分布の情報も含んでいる。
【００５１】
エアコンＥＣＵ４０は、ステップ１１０では、赤外線カメラ２１から最新のサーモグラフィを取得することで、これらサイドガラス温度、リアガラス温度、ドアトリム温度、および天井温度を取得できる。
【００５２】
なお、これら車内環境情報のうち、フロントガラス温度、サイドガラス温度、リアガラス温度、ドアトリム温度、天井温度は、車室に露出する複数の部材３１〜３６の温度が反映された部材温度情報である。そして、サーモグラフィは、車室に露出する複数の部材３１〜３６の温度が反映された部材温度情報を含む。
【００５３】
車外環境情報は、車室外の温度環境を示す情報である。具体的には、車外環境情報は、外気温度、日射量、日射向き、等を含む。外気温度は、外気温センサ２２によって検出された最新の温度である。日射量は、日射センサ２４によって検出された最新の日射量である。
【００５４】
日射向きは、車両２を基準とした日射の向きを示す情報である。この日射向きは赤外線カメラ２１によって取得されたサーモグラフィに含まれている。それは、図４に示したように、サーモグラフィは、車室内を撮影範囲に含むからである。日射向きが変化すると、車室内における光の照射量の分布が変化し、その結果、車室内の温度分布も変化する。特に、助手席側ドアトリム３２、運転席側サイドガラス３３、リアガラス３５の各々の温度は、日射向きによって温度が大きく変化する。
【００５５】
実際、図７、図８、図９、図１０に示すように、車両２に対する太陽の位置が変化すると、車室内の温度分布が大きく変化する。図７、図９は、太陽の位置と、サーモグラフィの各画素の輝度値とを示す。サーモグラフィは、上側が車両後方側、下側が車両前方側に対応する。図８は、図７と同じサーモグラフィの輝度値を濃度で表したものである。図１０は、図９と同じサーモグラフィの輝度値を濃度で表したものである。濃度が高いほど、輝度値が高い。
【００５６】
図７、図８に示すように、太陽の光が車両２の直上から入射する場合、天井に該当する部分の温度が非常に高温になり、車室内における温度分布の左右差は少ない。また、図９、図１０に示すように、車両２の運転席側後方から車室内に光が入射する場合、運転席側サイドガラス３３とリアガラス３５の温度が高温になる。それと共に、車室内では、太陽に近い位置ほど温度が高くなる。エアコンＥＣＵ４０は、ステップ１１０では、赤外線カメラ２１から最新のサーモグラフィを取得することで、日射向きの情報を取得できる。このように、サーモグラフィは日射向きの情報を含む。
【００５７】
エアコンＥＣＵ４０は、ステップ１１０に続き、ステップ１２０で、乗員６の複数の身体部位の輻射情報を算出する。具体的には、図１１に示すように、輻射情報用の学習済みモデル６１に、直前のステップ１１０で取得した吹出風情報、車内環境情報、および車外環境情報のすべてを、説明変数として入力する。これにより、エアコンＥＣＵ４０は、学習済みモデル６１から目的変数として出力された値を、上述の１２箇所の身体部位の輻射情報として取得する。学習済みモデル６１が出力する複数の身体部位の輻射情報の各々は、当該身体部位が受ける輻射の量である。出力される輻射の量は、例えば、放射照度［Ｗ／ｍ２］であってもよい。
【００５８】
ここで、学習済みモデル６１について説明する。学習済みモデル６１は、エアコンＥＣＵ４０のＲＯＭまたはフラッシュメモリにあらかじめ記録されたニューラルネットワークである。ニューラルネットワークとしては、例えば、ＣＮＮ（Ｃｏｎｖｏｌｕｔｉｏｎ  Ｎｅｕｒａｌ  Ｎｅｔｗｏｒｋ）、ＲＮＮ（Ｒｅｃｕｒｒｅｎｔ  Ｎｅｕｒａｌ  Ｎｅｔｗｏｒｋ）、ＬＳＴＭ（Ｌｏｎｇ  ｓｈｏｒｔ−ｔｅｒｍ  ｍｅｍｏｒｙ）等の周知のニューラルネットワークが採用されてもよい。
【００５９】
学習済みモデル６１は、吹出風情報、車内環境情報、および車外環境情報が説明変数として入力された場合に、それら説明変数の値が実現されている状態において乗員６の上記複数の身体部位のそれぞれが受ける輻射の量を、輻射情報として出力する。このために、学習済みモデル６１は、実際の車両における実験結果を教師データとして用いた教師あり学習によって、あらかじめ学習された状態で、エアコンＥＣＵ４０のＲＯＭまたはフラッシュメモリに記録される。
【００６０】
ここで、説明変数の一部と輻射情報との相関関係について説明する。フロントガラス温度は、乗員６の周り、主に上半身への輻射を上昇させる要因である。サイドガラス温度は、乗員の左側への輻射または右側への輻射を変化させる要因である。リアガラス温度は、乗員の後方への輻射を変化させる要因である。天井温度は、主に乗員の頭から胸の範囲への輻射を変化させる要因である。また、外気温度は、直接的な要因というよりも、フロントガラス温度、サイドガラス温度、天井温度に影響ある因子であり、それ故、輻射と強い相関がある。日射量は、乗員周りの主に上半身の輻射を上昇させる要因である。日射向きは、日射量と組み合せて活用できる情報である。具体的には、日射向きと輻射の相関関係は、日射向きに強く依存する。したがって、これらの量は、乗員６の複数の身体部位が受ける輻射の量を学習済みモデル６１を用いて算出する際の説明変数として、適切である。
【００６１】
エアコンＥＣＵ４０は、ステップ１２０に続き、ステップ１３０で、乗員６の複数の身体部位の空気温度情報を算出する。具体的には、図１１に示すように、空気温度情報用の学習済みモデル６２に、直前のステップ１１０で取得した吹出風情報、車内環境情報、および車外環境情報のすべてを、説明変数として入力する。これにより、エアコンＥＣＵ４０は、学習済みモデル６２から目的変数として出力された値を、上述の１６箇所の身体部位の空気温度情報として取得する。学習済みモデル６２が出力する複数の身体部位の空気温度情報の各々は、当該身体部位の近傍の空気の温度である。
【００６２】
ここで、学習済みモデル６２について説明する。学習済みモデル６２は、エアコンＥＣＵ４０のＲＯＭまたはフラッシュメモリにあらかじめ記録されたニューラルネットワークである。ニューラルネットワークとしては、例えば、ＣＮＮ、ＲＮＮ、ＬＳＴＭ等の周知のニューラルネットワークが採用されてもよい。
【００６３】
学習済みモデル６２は、吹出風情報、車内環境情報、および車外環境情報が説明変数として入力された場合に、それら説明変数の値が実現されている状態における、乗員６の上記複数の身体部位のそれぞれの近傍の空気の温度を、空気温度情報として出力する。このために、学習済みモデル６２は、実際の車両における実験結果を教師データとして用いた教師あり学習によって、あらかじめ学習された状態で、エアコンＥＣＵ４０のＲＯＭまたはフラッシュメモリに記録される。
【００６４】
ここで、説明変数の一部と空気温度情報との相関関係について説明する。吹出空気温度は、車室内全体の空気温度を作っている要素であり、その中に存在する乗員６の周りの空気温度と強い相関がある。吹出風の風量が強いと、乗員６の周りの空気が動かされ、弱いと動かない。したがって、吹出風の風量は、乗員６の周りの空気温度と強い相関がある。
【００６５】
フェイスモードの場合、乗員６の上半身周りの空気温の変化が大きく、フットモードの場合、乗員６の下半身周りの空気温の変化が大きくなる。したがって、吹出口モードは乗員６の近傍の空気の温度と強い相関がある。風向が変化すると、吹出風が乗員６のどの部分に主に当たるかが大きく変化する。従って、風向は乗員６の近傍の空気の温度と強い相関がある。内気温度は、車室内全体の温度を代表する量であり、乗員６の周りの空気全体のベース温度と考えることができる。したがって、内気温度は、乗員６の近傍の空気の温度と強い相関がある。
【００６６】
フロントガラス温度は、外気温、および進行方向前方からの日射量に大きく依存し、乗員周り、主に上半身の空気温を上昇させる要因である。サイドガラス温度は、外気温、および偏日射により横方向からの日射量に大きく依存し、乗員６の左右の空気温を変化させる要因である。リアガラス温度は、乗員の後方の空気の温度を変化させる要因である。天井温度は、主に乗員の頭から胸の範囲の周囲の空気温度を上昇させる要因である。外気温度は、直接的な要因というよりも、フロントガラス温度、サイドガラス温度、天井温度に影響ある因子である。したがって、外気温度は乗員６の周囲の空気温度と強い相関がある。
【００６７】
日射量は、乗員周りの主に上半身の空気の温度を上昇させる要因である。日射向きは、日射量と組み合せて活用できる情報である。具体的には、日射向きと乗員６の周りの空気の温度の相関関係は、日射向きに強く依存する。
【００６８】
したがって、これらの量は、乗員６の複数の身体部位の近傍の空気の温度を学習済みモデル６２を用いて算出する際の説明変数として、適切である。
【００６９】
エアコンＥＣＵ４０は、ステップ１３０に続くステップ１４０で、直前のステップ１２０、１３０で算出した複数の身体部位の輻射情報および複数の人体の空気温度情報を、ＲＡＭまたはフラッシュメモリに出力する。これにより、ＲＡＭまたはフラッシュメモリに、当該複数の身体部位の輻射情報および複数の人体の空気温度情報が記録される。このように記録された複数の身体部位の輻射情報および複数の人体の空気温度情報は、既に説明した通り、例えば、空調制御処理４０Ｂにおいて風向の決定の際に使用される。
【００７０】
ここで、学習済みモデル６１、６２の作成方法について、説明する。学習済みモデル６１、６２の作成は、エアコンＥＣＵ４０ではない他の学習モデル作成装置が行う。
【００７１】
まず、学習済みモデル６１、６２の作成者は、教師データを作成して、学習モデル作成装置に記録される。使用される教師データは、上述の通り、実際の車両における実験結果である。実験用の車両には、図３で示した赤外線カメラ２１およびセンサ２２〜２８が搭載される。更に実験用の車両には、運転席に着座する乗員の上記複数の身体部位が受ける輻射の量を検出できるセンサ、および、当該乗員の上記複数の身体部位の近傍における空気の温度を検出できるセンサが、搭載される。
【００７２】
そして、例えば、図１３の黒丸点に示すように、外気温度−２０℃、日射量０Ｗ／ｍ２の真冬、外気温度１０℃、日射量５００Ｗ／ｍ２の中間期、外気温度３０℃、日射量１０００Ｗ／ｍ２の夏期等の、２３種類の実験環境において、実験が行われる。具体的には、各実験環境において、実験用の車両に搭載された上述の赤外線カメラおよびセンサから、所定時間（例えば１時間）、繰り返し（例えば定期的に１秒周期で）、検出信号を取得する。検出信号を取得する１回のタイミングで、１セットの教師データが取得される。
【００７３】
そして、学習モデル作成装置は、このような実験によって得られた複数セットの教師データを用いて、誤差逆伝播法等により、学習済みモデル６１、６２の学習を行う。この学習の結果、学習済みモデル６１、６２に相当するニューラルネットワークの重み等が決定される。その際、学習済みモデル６１を作成する場合は、これら教師データの各々について、当該教師データ中の吹出風情報、車内環境情報、および車外環境情報を説明変数とし、当該教師データ中の輻射情報を目的変数の正解データとする。また、学習済みモデル６２を作成する場合は、これら教師データの各々について、当該教師データ中の吹出風情報、車内環境情報、および車外環境情報を説明変数とし、当該教師データ中の空気温度情報を目的変数の正解データとする。
【００７４】
図１４に、所定の条件下において、エアコンＥＣＵ４０が輻射情報用の学習済みモデル６１によって算出した輻射情報を示す。図１５に、同じ所定の条件下において、エアコンＥＣＵ４０が空気温度情報用の学習済みモデル６２によって算出した空気温度情報を示す。所定の条件としては、吹出口モードがバイレベルモードで、外気温が３０℃で、日射量が５００Ｗ／ｍ２で、日射が車両の直上から来ているという条件である。
【００７５】
図１４に示すように、乗員６の全身１２箇所の身体部位が受ける輻射の量として算出された値は、現実の値との差の絶対値が、２０分間に亘って、２０Ｗ／ｍ２以下である。また、図１５に示すように、乗員６の全身１６箇所の身体部位の近傍の空気の温度として算出された値は、現実の値との差の絶対値が、２０分間に亘って、３℃以下である。このように、学習済みモデル６１、６２とも、算出値と実際の値との誤差すなわち推定誤差が十分小さい。
【００７６】
以上説明した通り、エアコンＥＣＵ４０は、部材温度情報に基づいて、車室内の乗員６の複数の身体部位の輻射情報および乗員６の複数の身体部位の空気温度情報を算出する。上述の通り、乗員の複数の身体部位は、受ける輻射の量が互いに大きく異なる場合がある。発明者の検討によれば、その理由は２つある。１つは、車室の異なる位置に露出して異なる温度となる複数の部材が存在することである。もう１つは、複数の身体部位は、それら複数の部材のどれから主に輻射を受けるかが、まちまちだということである。
【００７７】
したがって、車両の車室に露出する複数の部材の温度が反映された部材温度情報に基づいてこれら複数の輻射情報が算出されることで、このような車室特有の事情に合わせて、適切な情報に基づいた複数の輻射情報の算出が実現される。
【００７８】
また、乗員６の複数の身体部位は、近傍の温度が互いに大きく異なる場合がある。発明者の検討によれば、その理由は２つある。１つは、車室の異なる位置に露出して異なる温度となる複数の部材が存在することである。もう１つは、複数の身体部位は、それら複数の部材のどれから主に熱的影響を受けるかが、まちまちだということである。
【００７９】
したがって、車室に露出する複数の部材の温度が反映された部材温度情報に基づいてこれら複数の空気温度情報が算出されることで、車室特有の事情に合わせて、適切な情報に基づいた複数の空気温度情報の算出が実現される。
【００８０】
また、サーモグラフィは、運転席側ドアトリム３１、助手席側ドアトリム３２、運転席側サイドガラス３３、助手席側サイドガラス３４、リアガラス３５、天井３６の各々の温度分布を表す画素群を含む。１つ以上の部材の各々の温度分布を表す画素群をサーモグラフィが含んでいる場合、各部材の代表温度を取得する場合とは違い、各部材の温度分布も反映して複数の輻射情報を算出することができる。したがって、複数の輻射情報の算出精度が向上する。そして、各部材の温度分布を取得するセンサとしては、サーモグラフィを生成できる赤外線カメラ２１が好適である。
【００８１】
また、サーモグラフィは日射の向きの情報を含んでいる。このようにすることで、サーモグラフィから、日射の向きという、車室内への輻射の不均一の大きな要因となり得る情報を取得することができる。
【００８２】
また、サーモグラフィは、天井３６の温度を表す画素群と、リアガラス３５の温度を表す画素群と、運転席側サイドガラス３３の温度を表す画素群と、助手席側サイドガラス３４の温度を表す画素群と、を含む。このようにすることで、サーモグラフィから、乗員を囲む大きな部材の温度を反映した情報を取得することができる。
【００８３】
また、エアコンＥＣＵ４０は、教師あり学習によって学習されたニューラルネットワークの学習済みモデル６１、６２によって、部材温度情報を含む説明変数から、複数の輻射情報および複数の空気温度情報を含む目的変数を算出する。サーモグラフィを利用して複数の輻射情報および複数の空気温度情報を算出する場合には、算出の基礎となる情報の量が膨大になる。そのような場合、算出に学習済みモデルを用いることで、算出のためのアルゴリズムの開発負担が大幅に軽減される。
【００８４】
また、エアコンＥＣＵ４０は、部材温度情報と吹出風情報とに基づいて、複数の空気温度情報を算出する。空調装置１０から車室内に吹き出される風に関する情報である吹出風情報は、そもそも車室内の空気の温度を調整するものだから、乗員の複数の身体部位の近傍における空気の温度に強く影響を及ぼす。したがって、複数の空気温度情報を算出する基礎として吹出風情報も利用することで、複数の空気温度情報をより正確に算出することができる。
【００８５】
なお、本実施形態において、エアコンＥＣＵ４０が、図６のステップ１１０を実行することで取得部に対応し、ステップ１２０、１３０を実行することで算出部に対応し、ステップ１４０を実行することで出力部に対応する。
【００８６】
（他の実施形態）
なお、本発明は上記した実施形態に限定されるものではなく、適宜変更が可能である。また、上記実施形態において、実施形態を構成する要素は、特に必須であると明示した場合および原理的に明らかに必須であると考えられる場合等を除き、必ずしも必須のものではない。また、上記実施形態において、実施形態の構成要素の個数、数値、量、範囲等の数値が言及されている場合、特に必須であると明示した場合および原理的に明らかに特定の数に限定される場合等を除き、その特定の数に限定されるものではない。特に、ある量について複数個の値が例示されている場合、特に別記した場合および原理的に明らかに不可能な場合を除き、それら複数個の値の間の値を採用することも可能である。また、上記実施形態において、構成要素等の形状、位置関係等に言及するときは、特に明示した場合および原理的に特定の形状、位置関係等に限定される場合等を除き、その形状、位置関係等に限定されるものではない。また、上記実施形態において、センサから車両の外部環境情報（例えば車外の湿度）を取得することが記載されている場合、そのセンサを廃し、車両の外部のサーバまたはクラウドからその外部環境情報を受信することも可能である。あるいは、そのセンサを廃し、車両の外部のサーバまたはクラウドからその外部環境情報に関連する関連情報を取得し、取得した関連情報からその外部環境情報を推定することも可能である。また、本発明は、上記実施形態に対する以下のような変形例および均等範囲の変形例も許容される。なお、以下の変形例は、それぞれ独立に、上記実施形態に適用および不適用を選択できる。すなわち、以下の変形例のうち明らかに矛盾する組み合わせを除く任意の組み合わせを、上記実施形態に適用することができる。
本開示に記載の制御部及びその手法は、コンピュータプログラムにより具体化された一つ乃至は複数の機能を実行するようにプログラムされたプロセッサ及びメモリを構成することによって提供された専用コンピュータにより、実現されてもよい。あるいは、本開示に記載の制御部及びその手法は、一つ以上の専用ハードウェア論理回路によってプロセッサを構成することによって提供された専用コンピュータにより、実現されてもよい。もしくは、本開示に記載の制御部及びその手法は、一つ乃至は複数の機能を実行するようにプログラムされたプロセッサ及びメモリと一つ以上のハードウェア論理回路によって構成されたプロセッサとの組み合わせにより構成された一つ以上の専用コンピュータにより、実現されてもよい。また、コンピュータプログラムは、コンピュータにより実行されるインストラクションとして、コンピュータ読み取り可能な非遷移有形記録媒体に記憶されていてもよい。
【００８７】
（変形例１）
上記実施形態では、複数の身体部位の輻射情報、複数の身体部位の空気温度情報を算出する対象は、運転席の乗員６のみである。しかし、複数の身体部位の輻射情報、複数の身体部位の空気温度情報を算出する対象として、助手席の乗員が含まれてもよいし、後席４の乗員が含まれてもよい。複数の身体部位の輻射情報、複数の身体部位の空気温度情報を算出する対象は、運転席以外の車両２の座席の乗員のみであってもよい。
【００８８】
（変形例２）
上記実施形態では、サーモグラフィは、車室に露出する複数の部材３１〜３６の温度が反映された部材温度情報のうち、リアガラス温度以外の情報を含んでいる。しかし、サーモグラフィは、リアガラス温度情報を含んでいてもよい。例えば、赤外線カメラ２１の撮影範囲がフロントガラスも含んでいれば、それが実現される。そのような撮影範囲を実現できる赤外線カメラ２１の位置としては、車室内の天井の前後方向中央部がある。
【００８９】
（変形例３）
上記実施形態では、学習済みモデル６１、６２に入力される説明変数としてサーモグラフィが含まれている。しかし、学習済みモデル６１、６２に入力される説明変数にサーモグラフィが含まれなくてもよい。その場合、学習済みモデル６１、６２に入力される説明変数に、サイドガラス温度、リアガラス温度、ドアトリム温度、天井温度を含めるためには、対応する部材のセンサから出力される検出信号に基づく温度を説明変数としてもよい。ここで、対応する部材のセンサは、具体的には、運転席側ドアトリム３１、助手席側ドアトリム３２、運転席側サイドガラス３３、助手席側サイドガラス３４、リアガラス３５、天井３６の各々に設けられた、当該部材の温度を検出する温度センサ（例えば熱電対）である。なおこの場合、学習済みモデル６１、６２は、学習の時点で、当該検出信号に基づく温度が教師データとして使用される。
【００９０】
（変形例４）
上記実施形態において、エアコンＥＣＵ４０は、空調制御処理４０Ｂにおいてフェイス吹出口１００から吹き出される空気の風向を調整することができる。しかし、エアコンＥＣＵ４０は、フェイス吹出口１００から吹き出される空気の風向を調整できなくてもよい。その場合、学習済みモデル６１、６２の学習時も使用時も、風向情報としては、所定のデフォルト値が入力される。このデフォルト値は、通常の使用環境で実現する可能性が最も高いとしてあらかじめ決められた値である。
【００９１】
（変形例５）
上記実施形態では、学習済みモデル６１、６２に入力される吹出風温度は、フェイス温度センサ２５、フット温度センサ２６、デフロスタ温度センサ２７の検出信号に基づく温度であった。しかし、フェイス温度センサ２５、フット温度センサ２６、デフロスタ温度センサ２７は、必ずしも空調装置１０に備えられていなくてもよい。空調装置１０がそれらセンサ２５、２６、２７を備えていない場合、エアコンＥＣＵ４０は、フェイス吹出口１００、フット吹出口１０１、デフロスタ吹出口１０２から吹き出される空気の温度を推定してもよい。そして、それら推定値を吹出風温度として学習済みモデル６１、６２に入力してもよい。
【００９２】
具体的には、エアコンＥＣＵ４０は、エバポレータ温度、エアミックス比率、エンジン水温の３つの量の最新値に基づいて、吹出口１００、１０１、１０２のうち現在の吹出口モードによれば開いている吹出口１００、１０１、１０２の空気の温度を推定する。ここで、エバポレータ温度は、エバポレータ１４のすぐ下流に配置された温度センサによって検出される。また、エンジン水温は、ヒータコア１５内のエンジン水温の配管に設けられた温度センサによって検出される。
【００９３】
あるいは、空調装置１０がセンサ２５、２６、２７を備えていない場合、学習済みモデル６１、６２に入力される説明変数のうち、吹出風温度をエバポレータ温度、エアミックス比率、エンジン水温に置き換えられてもよい。
【００９４】
（変形例６）
輻射情報、空気温度情報の算出対象となる複数の身体部位は、上記実施形態に記載されたようなものに限られない。複数の身体部位の数は、上記実施形態における数よりも多くても少なくてもよい。
【００９５】
（変形例７）
上記実施形態では、輻射・温度算出処理４０Ａで算出された輻射情報、空気温度情報が空調制御処理４０Ｂで風向を決定するために用いられている。しかし、輻射・温度算出処理４０Ａで算出された輻射情報、空気温度情報は、空調制御処理４０Ｂで用いられず、単にエアコンＥＣＵ４０のフラッシュメモリに記録されるだけでもよい。その場合でも、情報収集用途の役には立つ。
【００９６】
（変形例８）
上記実施形態では、エアコンＥＣＵ４０は、図６のステップ１４０で、複数の身体部位の輻射情報および複数の人体の空気温度情報を、ＲＡＭまたはフラッシュメモリに出力している。しかし、複数の身体部位の輻射情報および複数の人体の空気温度情報の出力先は、ＲＡＭ、フラッシュメモリ以外のものでもよい。例えば、出力先は、車室内の他の装置であってもよいし、車両２の外部のサーバであってもよい。
【００９７】
（変形例９）
上記実施形態では、エアコンＥＣＵ４０は、輻射・温度算出処理４０Ａにおいて、輻射情報を算出して空気温度情報を算出しないようになっていてもよい。あるいは、エアコンＥＣＵ４０は、輻射・温度算出処理４０Ａにおいて、空気温度情報を算出して輻射情報を算出しないようになっていてもよい。
【００９８】
（変形例１０）
上記実施形態では、輻射・温度算出処理４０Ａは、エアコンＥＣＵ４０によって実行されている。しかし、輻射・温度算出処理４０Ａは、エアコンＥＣＵ４０以外の装置で実行されてもよい。例えば、輻射・温度算出処理４０Ａは、エアコンＥＣＵ４０以外の車両２に搭載された車載装置で実行されてもよい。その場合、当該車載装置が、輻射情報算出装置および温度情報算出装置に対応する。また例えば、輻射・温度算出処理４０Ａは、車両２の外部のサーバで実行されてもよい。その場合、当該サーバが、輻射情報算出装置および温度情報算出装置に対応する。
【００９９】
（変形例１１）
サーモグラフィは、インストルメントパネルも撮影範囲に含まれていてもよい。その場合、説明変数には、インストルメントパネルの温度の情報も含まれる。
【０１００】
（まとめ）
上記各実施形態の一部または全部で示された第１の観点によれば、輻射情報算出装置は、部材温度情報に基づいて、車室内の乗員の複数の身体部位にそれぞれ対応して対応先の身体部位が受ける輻射の量を表す複数の輻射情報を算出する。
【０１０１】
また、第２の観点によれば、前記取得部は、赤外線カメラによって生成された車室内のサーモグラフィを、前記部材温度情報の一部を含む画像として取得し、前記サーモグラフィは、前記複数の部材のうち１つ以上の部材の各々の温度分布を表す画素群を含む。
【０１０２】
１つ以上の部材の各々の温度分布を表す画素群をサーモグラフィが含んでいる場合、各部材の代表温度を取得する場合とは違い、各部材の温度分布も反映して複数の輻射情報を算出することができる。したがって、複数の輻射情報の算出精度が向上する。そして、各部材の温度分布を取得するセンサとしては、サーモグラフィを生成できる赤外線カメラが好適である。
【０１０３】
また、第３の観点によれば、前記取得部は、赤外線カメラによって生成された車室内のサーモグラフィを取得し、前記サーモグラフィは日射の向きの情報を含んでいる。このようにすることで、サーモグラフィから、日射の向きという、車室内への輻射の不均一の大きな要因となり得る情報を取得することができる。
【０１０４】
また、第４の観点によれば、前記取得部は、赤外線カメラによって生成された車室内のサーモグラフィを、前記部材温度情報の一部を含む画像として取得し、前記サーモグラフィは、前記車両の車室の天井の温度を表す画素群と、前記車両のリアガラスの温度を表す画素群と、前記車両のサイドガラスの温度を表す画素群と、を含む。このようにすることで、サーモグラフィから、リアガラス、サイドガラス、天井という、乗員を囲む大きな部材の温度を反映した情報を取得することができる。
【０１０５】
また、第５の観点によれば、前記算出部は、教師あり学習によって学習されたニューラルネットワークの学習済みモデルによって、前記部材温度情報を含む説明変数から、前記複数の輻射情報を含む目的変数を算出する。
【０１０６】
サーモグラフィを利用して複数の輻射情報を算出する場合には、算出の基礎となる情報の量が膨大になる。そのような場合、算出に学習済みモデルを用いることで、算出のためのアルゴリズムの開発負担が大幅に軽減される。
【０１０７】
また、第６の観点によれば、温度情報算出装置は、部材温度情報に基づいて、車室内の乗員の複数の身体部位にそれぞれ対応して対応先の身体部位の近傍における空気の温度を表す複数の空気温度情報を算出する。
【０１０８】
また、第７の観点によれば、前記取得部は、前記車両に搭載された空調装置から車室内に吹き出される風の温度、風量、吹出口の位置、風向のうち１つ以上を含む吹出風情報を取得し、前記算出部は、前記取得部が取得した前記部材温度情報と前記吹出風情報とに基づいて、前記複数の空気温度情報を算出する。
【０１０９】
空調装置から車室内に吹き出される風に関する情報である吹出風情報は、そもそも車室内の空気の温度を調整するものだから、乗員の複数の身体部位の近傍における空気の温度に強く影響を及ぼす。したがって、複数の空気温度情報を算出する基礎として吹出風情報も利用することで、複数の空気温度情報をより正確に算出することができる。
【符号の説明】
【０１１０】
２              車両
６              乗員
４０            エアコンＥＣＵ
【図１】
2020117052.tif 000003
【図２】
2020117052.tif 000004
【図３】
2020117052.tif 000005
【図４】
2020117052.tif 000006
【図５】
2020117052.tif 000007
【図６】
2020117052.tif 000008
【図７】
2020117052.tif 000009
【図８】
2020117052.tif 000010
【図９】
2020117052.tif 000011
【図１０】
2020117052.tif 000012
【図１１】
2020117052.tif 000013
【図１２】
2020117052.tif 000014
【図１３】
2020117052.tif 000015
【図１４】
2020117052.tif 000016
【図１５】
2020117052.tif 000017